(57)【要約】      （修正有）【課題】壁に容易に設置し得る調湿ユニットを提供する。【解決手段】調湿ユニット６０は、室内ユニットと組になって貫通孔を有する壁を挟み、貫通孔に配置されるガス冷媒連絡管を介して室内ユニットに接続する。この調湿ユニット６０は、ケーシング６１と、吸着ロータ６２と、熱交換器と、吸着ファン６４と、脱離ファン６５と、配管接続部６６と、を備える。ここで、配管接続部６６は、ケーシング６１内部の熱交換器とガス冷媒連絡管とを接続するために用いられる。そして、配管接続部６６は、ケーシング６１の、左側面部、右側面部、上面部、及び下面部の少なくともいずれかの一面から突出して形成される。【選択図】図６
2018179365.tif 000002
【特許請求の範囲】
【請求項１】
別ユニット（２０，２０Ｓ，４０，４０Ｓ）と組になって貫通孔（Ｈ）を有する壁（Ｗ）を挟み、前記貫通孔に配置される冷媒の連絡配管（６ａ，６ｂ）を介して前記別ユニットに接続する調湿ユニット（６０，６０Ｓ）であって、
平面形状の、正面部（６１ａ）、背面部（６１ｂ）、側面部（６１ｃ，６１ｄ）、上面部（６１ｅ）、及び下面部（６１ｆ）が少なくとも部分的に形成され、前記壁の壁面に前記背面部が対向するケーシング（６１）と、
前記ケーシングの内部に収納され、空気中の水分を吸着するとともに、吸着している水分を加熱に応じて脱離する吸着部材（６２）と、
前記ケーシングの内部に収納され、空気及び前記吸着部材を加熱するための熱交換器（６３）と、
前記ケーシングの内部に収納され、前記吸着部材に前記空気を通過させて、水分量を変化させた調湿空気を生成するためのファン（６４，６５）と、
前記ケーシングの、前記側面部、前記上面部、及び前記下面部の少なくともいずれかの一面から突出して形成される、前記ケーシング内部の前記熱交換器と前記連絡配管とを接続するための配管接続部（６６）と、
を備える調湿ユニット。
【請求項２】
前記配管接続部は、曲げ部（６６ａ１，６６ｂ１）を含み、先端（６６ａ２，６６ｂ２）が前記側面部に沿って延びる配管（６６ａ，６６ｂ）を有する、
請求項１に記載の調湿ユニット。
【請求項３】
前記先端が前記下に向かって延びている、
請求項２に記載の調湿ユニット。
【請求項４】
前記ケーシングは、前記側面部、前記上面部、及び前記下面部の少なくともいずれかの一面に、前記調湿空気の吹出口（８３，８３ｓ）をさらに有する、
請求項１から３のいずれか１項に記載の調湿ユニット。
【請求項５】
前記配管接続部と前記吹出口（８３）とが、前記ケーシングの同一の面に形成される、
請求項４に記載の調湿ユニット。
【請求項６】
前記配管接続部と前記吹出口（８３ｓ）とが、前記ケーシングの対向する面に形成される、
請求項４に記載の調湿ユニット。
【請求項７】
前記ファンは、
前記吸着部材に空気中の水分を吸着させるための吸着ファン（６４）と、
前記吸着部材から水分を脱離させるための脱離ファン（６５）と、
を含み、
前記ケーシング内部で、前記脱離ファン、前記吸着部材、前記吸着ファンの順に上から配置され、
前記配管接続部が、前記吸着部材よりも上方の位置に形成される、
請求項１から６のいずれか１項に記載の調湿ユニット。
【請求項８】
前記貫通孔の近傍に設置される、
請求項１から７のいずれか１項に記載の調湿ユニット。
【発明の詳細な説明】
【技術分野】
【０００１】
本発明は、調湿ユニットに関する。
【背景技術】
【０００２】
従来、室内に調湿空気を供給する調湿ユニットが、空気調和機とは別体として構成されることがある。例えば特許文献１（特開２０１４−１２９９５０号公報）には、室内機が取り付けられている壁の室外側壁面に取り付けられる加湿ユニットが開示されている。
【発明の概要】
【発明が解決しようとする課題】
【０００３】
調湿ユニットを壁面に取り付ける場合には、壁に設けられた貫通孔に冷媒の連絡配管及び調湿ホースを配置する場合がある。例えば上記特許文献１の場合には、室内機と接続するための連絡配管及び加湿ホース等を貫通孔に配置することになる。
【０００４】
しかしながら、上記の場合においては、室内機及び貫通孔、並びに室外機の位置によっては、調湿ユニットを室外側壁面に取り付けることが困難となる。
【０００５】
本発明の課題は、壁に容易に設置し得る調湿ユニットを提供することである。
【課題を解決するための手段】
【０００６】
本発明の第１観点に係る調湿ユニットは、別ユニットと組になって貫通孔を有する壁を挟み、貫通孔に配置される冷媒の連絡配管を介して別ユニットに接続する。この調湿ユニットは、ケーシングと、吸着部材と、熱交換器と、ファンと、配管接続部と、を備える。ケーシングは、平面形状の、正面部、背面部、側面部、上面部、及び下面部が少なくとも部分的に形成され、壁面に背面部が対向する。吸着部材は、ケーシングの内部に収納され、空気中の水分を吸着するとともに、吸着している水分を加熱に応じて脱離する。熱交換器は、ケーシングの内部に収納され、吸着部材を加熱するために用いられるものである。ファンは、ケーシングの内部に収納され、吸着部材に空気を通過させて、水分量を変化させた調湿空気を生成するために用いられる。配管接続部は、ケーシング内部の熱交換器と連絡配管とを接続するために用いられるものである。配管接続部は、ケーシングの、側面部、上面部、及び下面部の少なくともいずれかの一面から突出して形成される。
【０００７】
第１観点に係る調湿ユニットでは、壁の貫通孔に配置される冷媒の連絡配管とケーシング内部の熱交換器とを接続するための配管接続部が、ケーシングの側面部、上面部、及び下面部の少なくともいずれかの一面から突出して形成されており、配管接続部がケーシングの背面部に形成されていないので、壁に容易に設置することができる。
【０００８】
なお、本発明における「別ユニット」という用語は、熱交換器を搭載して冷媒回路に接続する任意の装置を意味するものである。例えば、別ユニットには、利用ユニットとしての室内機、及び熱源ユニットとしての室外機が含まれる。
【０００９】
また、本発明における「吸着」という用語は、単に吸着のみならず、吸着と吸収を兼ねた「収着」を含む意味で用いられる。
【００１０】
本発明の第２観点に係る調湿ユニットは、第１観点に係る調湿ユニットにおいて、配管接続部が、曲げ部を含み、先端が側面部に沿って延びる配管を有する。
【００１１】
第２観点に係る調湿ユニットでは、配管接続部はケーシングの側面部で連絡配管と接続するものとなる。そのため、配管接続部がケーシングの背面部で連絡配管と接続する構成に比して、調湿ユニットを壁に容易に設置することができる。
【００１２】
本発明の第３観点に係る調湿ユニットは、第２観点に係る調湿ユニットにおいて、先端が下に向かって延びている。
【００１３】
第３観点に係る調湿ユニットでは、ケーシングの側面部で配管接続部の接続口が下側を向いたものとなる。そのため、調湿ユニットを容易に設置することができる。
【００１４】
本発明の第４観点に係る調湿ユニットは、第１観点から第３観点のいずれかの調湿ユニットにおいて、ケーシングが、側面部、上面部、及び下面部の少なくともいずれかの一面に、調湿空気の吹出口をさらに有する。
【００１５】
第４観点に係る調湿ユニットでは、ケーシングが、側面部、上面部、及び下面部の少なくともいずれかの一面に、調湿空気の吹出口をさらに有するので、設置する状況に応じて、調湿ユニットを壁に容易に設置することができる。
【００１６】
本発明の第５観点に係る調湿ユニットは、第４観点に係る調湿ユニットにおいて、配管接続部と吹出口とが、ケーシングの同一の面に形成される。
【００１７】
第５観点に係る調湿ユニットでは、配管接続部と吹出口とがケーシングの同一の面に形成されるので、配管接続部への連絡配管の接続作業と、調湿空気を排出するために吹出口に設けられる調湿用ホース（加湿ホース等）の取り付け作業とを同じ位置で行なうことができる。結果として、調湿ユニットの設置作業を効率化できる。
【００１８】
本発明の第６観点に係る調湿ユニットは、第４観点に係る調湿ユニットにおいて、配管接続部と吹出口とが、ケーシングの対向する面に形成される。
【００１９】
第６観点に係る調湿ユニットでは、配管接続部と吹出口とがケーシングの対向する面に形成されるので、連絡配管と、調湿空気を排出するために吹出口に設けられる調湿用ホース（加湿ホース等）との干渉を回避できる。これにより、設置する状況によっては、連絡配管又はホースの引き回しを抑制することができる。
【００２０】
本発明の第７観点に係る調湿ユニットは、第１観点から第６観点のいずれかの調湿ユニットにおいて、ファンが、吸着ファンと脱離ファンとを含む。吸着ファンは、吸着部材に空気中の水分を吸着させるために用いられる。脱離ファンは、吸着部材から水分を脱離させるために用いられる。この調湿ユニットでは、ケーシング内部で、脱離ファン、吸着部材、吸着ファンの順に上から配置される。そして、配管接続部が、吸着部材よりも上方の位置に形成される。
【００２１】
第７観点に係る調湿ユニットでは、ケーシング内部で、脱離ファン、吸着部材、吸着ファンの順に上から配置（「縦置き配置」ともいう）され、配管接続部が吸着部材よりも上方の位置に形成されるので、ケーシング内部の冷媒配管を簡易な構造にすることができる。また、第７観点に係る調湿ユニットでは、配管の接続作業に容易に行うことができる。
例えば、室内機の補助配管が届く位置であれば、冷媒配管を継ぎ足す必要がなくなる等の構造にすることができる。
【００２２】
なお、本発明における「上から配置」という表現は、各部材の断面における上端と下端との中点を基準に定義される。
【００２３】
本発明の第８観点に係る調湿ユニットは、第１観点から第７観点のいずれかの調湿ユニットにおいて、貫通孔の近傍に設置される。
【００２４】
第８観点に係る調湿ユニットは、壁の貫通孔の近傍に設置されるので、調湿空気を室内に導入するために吹出口に設けられる調湿用ホース（加湿ホース等）を短くすることができる。これにより、ホース内に生じる結露等を抑制することができる。
【発明の効果】
【００２５】
第１から４観点に係る調湿ユニットでは、壁に容易に設置することができる。
【００２６】
第５観点に係る調湿ユニットでは、調湿ユニットの設置作業を効率化できる。
【００２７】
第６観点に係る調湿ユニットでは、連絡配管と、調湿空気を排出するために吹出口に設けられる調湿用ホースとの干渉を回避できる。
【００２８】
第７観点に係る調湿ユニットでは、ケーシング内部で、ケーシング内部の冷媒配管を簡易な構造にすることができる。
【００２９】
第８観点に係る調湿ユニットは、ホース内に生じる結露等を抑制することができる。
【図面の簡単な説明】
【００３０】
【図１】本発明の第１実施形態に係る冷媒回路１０を説明するための模式図である。
【図２Ａ】同実施形態に係る調湿ユニット６０の構成を示す模式図である。
【図２Ｂ】同実施形態に係る調湿ユニット６０の構成を示す模式図である。
【図３】同実施形態に係る調湿ユニット６０を正面方向から見たときの概略斜視図である。
【図４】同実施形態に係る調湿ユニット６０を背面方向から見たときの概略斜視図である。
【図５】同実施形態に係る調湿ユニット６０を正面方向から見たときの内部透視図である。
【図６】同実施形態に係る調湿ユニット６０を背面方向から見たときの内部透視図である。
【図７】同実施形態に係る調湿ユニット６０の正面図である。
【図８】同実施形態に係る調湿ユニット６０の左側面図である。
【図９】同実施形態に係る調湿ユニット６０の右側面図である。
【図１０】同実施形態に係る調湿ユニット６０の平面図である。
【図１１】同実施形態に係る調湿ユニット６０の底面図である。
【図１２】図７におけるＡ−Ａ矢視の断面を示す模式図である。
【図１３】図７におけるＢ−Ｂ矢視の断面を示す模式図である。
【図１４】同実施形態に係る吸着ロータ６２の機能を説明するための模式図である。
【図１５】同実施形態に係る調湿ユニット６０の設置態様の例を示す模式図である。
【図１６】同実施形態に係る冷媒回路１０を示す模式図である。
【図１７】同実施形態に係る調湿ユニット６０の設置態様の例を示す模式図である。
【図１８】変形例１Ａに係る調湿ユニット６０の構成を説明するための模式図である。
【図１９】変形例１Ｂに係る調湿ユニット６０の構成を説明するための模式図である。
【図２０】変形例１Ｃに係る冷媒回路１０を説明するための模式図である。
【図２１】変形例１Ｃに係る冷媒回路１０を説明するための模式図である。
【図２２】変形例１Ｃに係る冷媒回路１０を説明するための模式図である。
【図２３】本発明の第２実施形態に係る冷媒回路１０Ｓの構成を示す模式図である。
【図２４】同実施形態に係る調湿ユニット６０Ｓの設置態様の例を示す模式図である。
【図２５】同実施形態に係る冷媒回路１０Ｓの変形例を示す模式図である。
【発明を実施するための形態】
【００３１】
以下、本発明に係る空気調和装置の実施形態及びその変形例について、図面に基づいて説明する。なお、本発明に係る空気調和装置の具体的な構成は、下記の実施形態及びその変形例に限られるものではなく、発明の要旨を逸脱しない範囲で変更可能である。
【００３２】
＜第１実施形態＞
（１−１）冷媒回路の概要
図１は本発明の第１実施形態に係る冷媒回路１０を説明するための模式図である。ここでは、空気調和装置１が有する冷媒回路１０に、後述する調湿ユニット６０が接続される。空気調和装置１は、主として、室外ＯＤに設置される室外ユニット２０と、室内ＩＤに設置される室内ユニット４０とにより構成される。室外ユニット２０及び室内ユニット４０は、液冷媒連絡管５及びガス冷媒連絡管６ａ，６ｂを介して接続し、冷媒回路１０を形成する。この冷媒回路１０を冷媒が循環することにより、建物等における室内ＩＤの冷房及び暖房が行なわれる。また、本実施形態に係る調湿ユニット６０は、ガス冷媒連絡管６ａ，６ｂの間に接続される。
【００３３】
なお、空気調和装置１は、制御部によって各種運転が制御される。制御部は、各種センサからの検出信号に基づいて各種機器及び弁等を制御する。
【００３４】
（１−２）空気調和装置
次に、本実施形態に係る空気調和装置１の基本動作を説明する。
【００３５】
空気調和装置１は、基本動作として冷房運転及び暖房運転を行う。ここで、空気調和装置１の室外ユニット２０は、主として、圧縮機２１と、アキュムレータ２１ａと、四路切換弁２２と、室外熱交換器２３と、膨張弁２４と、閉鎖弁２５，２６とを備える。また、空気調和装置１の室内ユニット４０は、室内ファン４１及び室内熱交換器４２を備える。
【００３６】
空気調和装置１は、ここでいう基本動作以外にも、調湿ユニット６０と協働して加湿運転及び除湿運転を行うことが可能である。その他、空気調和装置１は、除霜運転及び油戻し運転等を行なうことも可能である。
【００３７】
なお、以下において、調湿ユニット６０の構成には言及せずに空気調和装置１の基本動作を説明するが、調湿ユニット６０の接続の有無によって基本動作に変動が生じるものではない。
【００３８】
（１−２−１）冷房運転
冷房運転では、四路切換弁２２が図１の破線で示される冷媒回路１０となる。この冷媒回路１０では、低圧のガス冷媒が、圧縮機２１で圧縮されて高圧のガス冷媒となる。高圧のガス冷媒は、四路切換弁２２を通じて室外熱交換器２３に送られる。室外熱交換器２３に送られた高圧のガス冷媒は室外空気と熱交換して凝縮する。これにより、高圧のガス冷媒が高圧の液冷媒となる。高圧の液冷媒は、膨張弁２４において減圧されて低圧の気液二相状態の冷媒となる。低圧の気液二相状態の冷媒は、液冷媒連絡管５を通じて室内熱交換器４２に送られる。そして、この冷媒は、室内熱交換器４２において室内ファン４１から吹き出される空気と熱交換して蒸発する。これにより、室内ＩＤに低温の調和空気が供給される。また、室内熱交換器４２に送られた冷媒は、低圧のガス冷媒となる。低圧のガス冷媒は、ガス冷媒連絡管６ｂ，６ａ及び四路切換弁２２を通じて圧縮機２１に再び送られる。
【００３９】
（１−２−２）暖房運転
暖房運転では、四路切換弁２２が図１の実線で示される冷媒回路１０となる。この冷媒回路１０では、低圧のガス冷媒が、圧縮機２１で圧縮されて高圧のガス冷媒となる。高圧のガス冷媒は、四路切換弁２２、及びガス冷媒連絡管６ａ，６ｂを通じて室内熱交換器４２に送られる。室内熱交換器４２に送られた高圧のガス冷媒は、室内ファン４１から吹き出される空気と熱交換して凝縮する。これにより、室内ＩＤに高温の調和空気が供給される。また、高圧のガス冷媒は、高圧の液冷媒となる。そして、高圧の液冷媒は、液冷媒連絡管５を通じて膨張弁２４に送られる。高圧の液冷媒は、膨張弁２４で減圧されて低圧の気液二相状態の冷媒となる。低圧の気液二相状態の冷媒は、室外熱交換器２３に送られる。そして、この冷媒は、室外熱交換器２３において室外空気と熱交換して蒸発する。これにより、室外熱交換器２３に送られた冷媒は、低圧のガス冷媒となる。低圧のガス冷媒は、四路切換弁２２を通じて圧縮機２１に再び送られる。
【００４０】
（１−３）調湿ユニット
（１−３−１）調湿ユニットの構成
本実施形態に係る調湿ユニット６０は、室内ＩＤの空気の調湿を行なうものである。ここでは、調湿ユニット６０が、室内ＩＤの空気を加湿する構成を説明する。ただし、調湿ユニット６０の構成はこれに限らず、室内ＩＤの空気を除湿する構成も採り得るものである。
【００４１】
図２Ａ及び図２Ｂは本実施形態に係る調湿ユニット６０の構成を示す模式図である。なお、図２Ｂは図２Ａに示す構成をより具体的に示したものである。図３は本実施形態に係る調湿ユニット６０を正面方向から見たときの概略斜視図である。図４は本実施形態に係る調湿ユニット６０を背面方向から見たときの概略斜視図である。図５は本実施形態に係る調湿ユニット６０を正面方向から見たときの内部透視図である。図６は本実施形態に係る調湿ユニット６０を背面方向から見たときの内部透視図である。図７は本実施形態に係る調湿ユニット６０の正面図である。図８は本実施形態に係る調湿ユニット６０の左側面図である。ただし、図８においては、カバー６６ｃを外した状態を示している。図９は本実施形態に係る調湿ユニット６０の右側面図である。図１０は本実施形態に係る調湿ユニット６０の平面図である。図１１は本実施形態に係る調湿ユニット６０の底面図である。図１２は図７におけるＡ−Ａ矢視の断面を示す模式図である。図１３は図７におけるＢ−Ｂ矢視の断面を示す模式図である。
【００４２】
本実施形態に係る調湿ユニット６０は、ケーシング６１と、吸着ロータ６２と、熱交換器６３と、吸着ファン６４と、脱離ファン６５と、配管接続部６６と、調湿用ホース６７と、を備える。ケーシング６１の内部には、脱離ファン６５、吸着ロータ６２、吸着ファン６４の順に上から配置される。ここでは、この配置を「縦置き配置」と呼ぶ。また、配管接続部６６は、吸着ロータ６２よりも上方の位置に形成される。
【００４３】
なお、本実施形態において「上から配置」という表現は、各部材の断面における上端と下端との中点を基準に定義される。したがって、各部材の断面方向の中点の位置が上下にずれているものであれば、部材同士が重なりあうものでもよい。例えば、図３〜１３では、吸着ロータ６２と吸着ファン６４とは一部が上下方向に重なっているが、吸着ロータ６２の断面方向の中点が、吸着ファン６４の断面方向の中点よりも上側に位置しているので、吸着ロータ６２が吸着ファン６４の上に配置されていることになる。
【００４４】
ケーシング６１は図３〜図１３に示すように、略長方形状の箱体であり、平面形状の、正面部６１ａ（図７）、背面部６１ｂ、左側面部６１ｃ（図８）、右側面部６１ｄ（図９）、上面部６１ｅ（図１０）、及び下面部６１ｆ（図１１）が少なくとも部分的に形成される。また、ケーシング６１は、室内外を仕切る壁Ｗの壁面に背面部６１ｂが対向するように形成される。
【００４５】
ケーシング６１には、吸着吸込口７２及び吸着吹出口７３が形成される。そして、ケーシング６１の内部には、吸着吸込口７２及び吸着吹出口７３により連通される空間が吸着経路７１として形成される。この吸着経路７１により、吸着ファン６４に空気が供給される。なお、吸着経路７１の一部は「吸着エリアＡ２」として機能する。ここで、吸着吸込口７２は、ケーシング６１の、正面部６１ａ、左側面部６１ｃ、右側面部６１ｄ、上面部６１ｅ、及び下面部６１ｆの少なくともいずれかの一面に形成される。図３〜１３では、一例として、正面部６１ａに吸着吸込口７２が形成される形態を示している。一方、吸着吹出口７３は、任意の位置に形成できるものである。図３〜１３では、一例として、下面部６１ｆに形成される形態を示している。
【００４６】
ケーシング６１には、脱離吸込口８２及び脱離吹出口８３が形成される。そして、ケーシング６１の内部には、脱離吸込口８２及び脱離吹出口８３により連通される空間が脱離経路８１として形成される。この脱離経路８１により、脱離ファン６５に空気が供給される。なお、脱離経路８１の一部は「脱離エリアＡ１」として機能する。ここで、脱離吸込口８２は、ケーシング６１の、左側面部６１ｃ、右側面部６１ｄ、上面部６１ｅ、及び下面部６１ｆの少なくともいずれかの一面に形成される。図３〜１３では、一例として、左側面部６１ｃ及び右側面部６１ｄに脱離吸込口８２ａ，８２ｂが形成される形態を示している。一方、脱離吹出口８３（調湿空気の吹出口）は、後述する配管接続部６６とケーシング６１の同一の面に形成される。図３〜１３では、一例として、左側面部６１ｃに脱離吹出口８３が形成される例を示している。
【００４７】
吸着ロータ６２は、ケーシング６１の内部に収納され、空気中の水分を吸着するとともに、吸着している水分を加熱に応じて脱離するものである。具体的には、吸着ロータ６２はケーシング６１の内部に収納され、ロータモータ６２ａにより駆動される。ここで、吸着ロータ６２は、空気中の水分を吸着するとともに、吸着している水分を加熱に応じて脱離する吸着剤を表面に保持する。そして、吸着ロータ６２は、ロータモータ６２ａにより回転され、回転に応じて表面の一部がケーシング６１内部に形成される吸着エリアＡ２及び脱離エリアＡ１を通過する。吸着ロータ６２の表面の一部は、図１４に概念を示すように、吸着エリアＡ２及び脱離エリアＡ１を交互に通過することで、吸着エリアＡ２で空気中の水分を吸着し、脱離エリアＡ１で空気中の水分を脱離する。なお、吸着剤は、ゼオライト、シリカゲル、又はアルミナ等により構成される。また、ここでいう吸着剤は、高分子収着剤を含むものであり、吸着のみならず吸収を行なうものでもよい。
【００４８】
熱交換器６３は、ケーシング６１の内部に収納され、吸着ロータ６２を加熱するために用いられる。具体的には、熱交換器６３からは２つの冷媒配管が延びており、これらの冷媒配管がそれぞれガス冷媒連絡管に６ａ，６ｂに繋がっている。そして、熱交換器６３に冷媒回路１０から高温のガス冷媒が流入すると、熱交換器６３においてガス冷媒及び空気の熱交換が行なわれる。これにより、熱交換器６３の近傍に設置された吸着ロータ６２の一部が加熱される。ここでは、脱離エリアＡ１を通過する吸着ロータ６２が加熱される。
【００４９】
吸着ファン６４は、ケーシング６１の内部に収納されるファンである。この吸着ファン６４は、ケーシング６１内部に形成される吸着エリアＡ２を通過する第２空気流Ｆ２（吸着空気流）を生成する。ここで、吸着ファン６４が第２空気流Ｆ２を生じさせているときに、吸着ロータ６２が吸着エリアＡ２を通過すると、吸着ロータ６２に空気中の水分が吸着する。これにより、水分量の減少した調湿空気が生成される。なお、ここでは、吸着ロータ６２に対して正面部６１ａから背面部６１ｂに向かう方向を「第２方向」とする。
【００５０】
脱離ファン６５は、ケーシング６１の内部に収納されるファンである。この脱離ファン６５は、ケーシング６１の内部に形成される脱離エリアＡ１を通過する第１空気流Ｆ１を生成する。ここで、脱離ファン６５が第１空気流Ｆ１（脱離空気流）を生じさせており、かつ熱交換器６３がオンになっているときに、吸着ロータ６２が脱離エリアＡ１を通過すると、吸着ロータ６２の加熱された部分から水分が空気中に脱離する。これにより、水分量が増加した調湿空気（加湿空気）が生成される。なお、ここでは、吸着ロータ６２に対して背面部６１ｂから正面部６１ａに向かう方向を「第１方向」とする。
【００５１】
配管接続部６６は、ケーシング６１内部の熱交換器６３から延びる冷媒配管とガス冷媒連絡管６ａ，６ｂとを接続するために用いられる部材である。配管接続部６６は、ケーシング６１の、左側面部６１ｃ、右側面部６１ｄ、上面部６１ｅ、及び下面部６１ｆの少なくともいずれかの一面から突出して形成される。また、配管接続部６６は、曲げ部６６ａ１，６６ｂ１を含み、先端６６ａ２，６６ｂ２が左側面部６１ｃ及び右側面部６１ｄに沿って下に延びる配管６６ａ，６６ｂを有する。これらの配管６６ａ，６６ｂが、それぞれ熱交換器６３から延びる冷媒配管に繋がっている。そして、これらの配管６６ａ，６６ｂが、それぞれガス冷媒連絡管６ａ，６ｂと接続する。また、配管接続部６６は、脱離吹出口８３と同一のケーシング６１の面に形成される。一例として、図３〜１３では、配管接続部６６が左側面部６１ｃから突出して形成される形態を示している。また、図３〜１３の例では、配管接続部６６の配管６６ａ，６６ｂが、左側面部６０ｃに沿って延びている形態を示している。なお、配管接続部６６は下面部が開口しているカバー６６ｃに全体が覆われて保護される。
【００５２】
調湿用ホース６７は、脱離経路を通過して水分量が増加した空気を排出するためのホースである。この調湿用ホース６７は脱離吹出口８３に取り付けられる。ここでは、調湿用ホース６７は加湿ホースとして機能する。
【００５３】
（１−３−２）調湿ユニットの設置態様
上述した調湿ユニット６０は、設置場所に応じて、室内ＩＤに加湿空気を供給する加湿ユニットとして機能したり、室内ＩＤの空気を除湿する除湿ユニットとして機能したりする。
【００５４】
調湿ユニット６０を加湿ユニットとして機能させる場合には、調湿ユニット６０を室外ＯＤに設置することになる。具体的には、調湿ユニット６０は、図１５に示すように、室内ユニット４０（別ユニット）と組になって貫通孔Ｈを有する壁Ｗを挟むように室外ＯＤに設置される。そして、調湿ユニット６０は、貫通孔Ｈに配置されるガス冷媒連絡管６ｂ（連絡配管）を介して室内ユニット４０に接続する。なお、調湿ユニット６０は、貫通孔Ｈの近傍に設置されることが好ましい。
【００５５】
また、調湿ユニット６０が加湿ユニットとして機能する場合には、図１６に示すような冷媒回路１０が形成される。
【００５６】
（１−３−３）調湿ユニットの動作
次に、調湿ユニット６０の動作について説明する。ここでは、調湿ユニット６０が加湿ユニットとして機能する場合の動作を説明する。なお、この場合、冷媒回路１０が暖房運転の形態をとることで、熱交換器６３が熱源として機能する。
【００５７】
まず、調湿ユニット６０では、吸着ファン６４が回転駆動する。これにより、室外空気が吸着吸込口７２から吸入される。また、吸着ファン６４の回転駆動とともに、吸着ロータ６２も回転駆動する。そして、吸着吸込口７２から吸入された室外空気が吸着経路７１を流れて吸着エリアＡ２で吸着ロータ６２を通過する。この際、室外空気に含まれている水分が吸着ロータ６２に吸着する。その後、室外空気は吸着吹出口７３から排出される（図２Ｂの矢印Ａ参照）。
【００５８】
また、調湿ユニット６０では、脱離ファン６５も回転駆動する。これにより、室外空気が脱離吸込口８２から吸入される。また、脱離ファン６５の駆動とともに、吸着ロータ６２も回転駆動する。また、吸着ロータ６２は熱交換器６３により加熱される。そして、脱離吸込口８２から吸入された室外空気が脱離経路８１を流れて脱離エリア１２で吸着ロータ６２を通過する。この際、吸着ロータ６２が熱交換器６３により加熱されているので、吸着ロータ６２に吸着している水分が脱離して室外空気に放出される。水分量の増加した加湿空気は脱離吹出口８３から排出され、調湿用ホース６７を通じて室内ユニット４０に運ばれる。そして、室内ユニット４０から室内ＩＤに加湿空気が供給される（図２Ｂの矢印Ｂ参照）。
【００５９】
なお、調湿ユニット６０は、室内ユニット４０の室内空気を室外ＯＤへと排気することも可能である（図２Ｂの矢印Ｃ参照）。
【００６０】
（１−４）特徴
（１−４−１）
以上説明したように、本実施形態に係る調湿ユニット６０では、壁Ｗの貫通孔Ｈに配置される冷媒のガス冷媒連絡管６ｂ（連絡配管）とケーシング６１内部の熱交換器６３とを接続するための配管接続部６６が、ケーシング６１の左側面部６１ｃ、右側面部６１ｄ、上面部６１ｅ、及び下面部６１ｆの少なくともいずれかの一面から突出して形成されているので、壁Ｗに容易に設置することができる。換言すると、本実施形態に係る調湿ユニット６０は、配管接続部６６がケーシング６１の背面部６１ｂに形成されていないので、壁Ｗに容易に設置することができる。
【００６１】
補足すると、配管接続部６６がケーシング６１の背面部６１ｂに形成されている場合には、壁Ｗから離した状態で調湿ユニット６０を取り付ける必要が生じる。そのため、調湿ユニット６０の取り付け強度が低下することがある。また、壁Ｗから離した状態の調湿ユニット６０の取り付け作業は安全性に欠けることがある。このような状況に対し、本実施形態に係る調湿ユニット６０では、配管接続部６６がケーシング６１の背面部６１ｂに形成されていないので、調湿ユニット６０を壁Ｗに近接させて取り付けることができる。これにより、取り付け強度の低下を回避しつつ、調湿ユニット６０を壁Ｗに容易に設置することができる。
【００６２】
また、壁Ｗには窓等の建具Ｍが設けられることから、室外ＯＤにおける調湿ユニット６０の設置場所は限定されることになる（図１７参照）。このような状況においても、本実施形態に係る調湿ユニット６０では、配管接続部６６を、ケーシング６１の左側面部６１ｃ、右側面部６１ｄ、上面部６１ｅ、及び下面部６１ｆの少なくともいずれかの一面から突出して形成するので、設置する状況に応じて、調湿ユニット６０を壁Ｗに容易に設置することができる。なお、図１７は同実施形態に係る調湿ユニット６０を室外ＯＤに設置したときの態様を正面から見たときの模式図である。
【００６３】
さらに、本実施形態に係る調湿ユニット６０では、配管接続部６６がケーシング６１の正面部６１ａに形成されていないので、優れた意匠性を有し得るものである。
【００６４】
（１−４−２）
また、本実施形態に係る調湿ユニット６０では、配管接続部６６が、曲げ部６６ａ１，６６ｂ１を含み、先端６６ａ２，６６ｂ２が左側面部６１ｃ等に沿って延びる配管６６ａ，６６ｂを有する。このような構成の調湿ユニット６０では、配管接続部６６がケーシング６１の左側面部６１ｃ等でガス冷媒連絡管６ａ，６ｂ（連絡配管）と接続するものとなる。そのため、配管接続部６６がケーシング６１の背面部６１ｂ等でガス冷媒連絡管６ａ，６ｂと接続する構成に比して、調湿ユニット６０を壁Ｗに容易に設置することができる。
【００６５】
特に、本実施形態に係る調湿ユニット６０では、先端６６ａ２，６６ｂ２が下に向かって延びている。このような構成の調湿ユニット６０では、ケーシング６１の左側面部６１ｃ等で配管接続部６６の接続口が下側を向いたものとなる。そのため、調湿ユニット６０を容易に設置することができる。補足すると、調湿ユニット６０は壁の高所に取り付けられることが多い。そのため、壁Ｗから離した状態での調湿ユニットの取り付け作業は、調湿ユニットを持ち上げて行なう必要があり、少なからず危険を伴うものである。また、室外ユニット２０は、調湿ユニット６０よりも低い位置に通常は設置される。このような状況において、本実施形態に係る調湿ユニット６０では、ケーシング６１の左側面部６１ｃ等で配管接続部６６の接続口６６ｄが下側を向いたものであるので、ガス冷媒連絡管（連絡配管）６ａ，６ｂを下方から接続することができる。これにより、下から見上げるようにしてガス冷媒連絡管６ａ，６ｂの接続できるので、作業性を向上することができる。
【００６６】
（１−４−３）
また、本実施形態に係る調湿ユニット６０では、ケーシング６１が、左側面部６１ｃ、右側面部６１ｄ、上面部６１ｅ、及び下面部６１ｆの少なくともいずれかの一面に、脱離吹出口８３（調湿空気の吹出口）をさらに有するものである。このような構成により、設置する状況に応じて、調湿ユニット６０を壁Ｗに容易に設置することができる。要するに、調湿空気の脱離吹出口８３がケーシングの背面部６１ｂに形成されていないので、調湿ユニット６０を壁Ｗに近接させた上で、設置する状況に応じて調湿ユニット６０を壁Ｗに取り付けることができる。
【００６７】
さらに、本実施形態に係る調湿ユニット６０では、配管接続部６６と脱離吹出口８３とが、ケーシング６１の同一の面に形成される。そのため、配管接続部６６へのガス冷媒連絡管６ａ，６ｂの接続作業と、調湿空気を排出するために脱離吹出口８３に設けられる調湿用ホース６７（加湿ホース等）の取り付け作業とを同じ位置で行なうことができる。結果として、調湿ユニット６０の設置作業を効率化できる。
【００６８】
（１−４−４）
また、本実施形態に係る調湿ユニット６０は、ケーシング６１内部で、脱離ファン６５、吸着ロータ６２（吸着部材）、吸着ファン６４の順に上から「縦置き配置」される。そして、配管接続部６６が、吸着ロータ６２よりも上方の位置に形成される。
【００６９】
ここで、ケーシング６１の内部は、脱離ファン６５側の空間と吸着ファン６４側の空間とが吸着ロータ６２を挟んで仕切られている。そのため、熱交換器６３から延びる冷媒配管は、ケーシング６１の内部において、脱離ファン６５側の空間と吸着ファン６４側の空間とを跨ないように配管接続部６６に接続されることが望まれる。このような要求に対し、本実施形態に係る調湿ユニット６０では、配管接続部６６が吸着ロータ６２よりも上方の位置に形成されるので、ケーシング６１内部の熱交換器から延びる冷媒配管を脱離ファン６５側の空間にのみ収納することができる。換言すると、本実施形態に係る調湿ユニット６０は、ケーシング６１内部の熱交換器から延びる冷媒配管が吸着ファン６４側の空間に侵食しないように収納することができるので、簡易な構造にすることができる。
【００７０】
また、上記構成の調湿ユニット６０において、配管接続部６６がケーシング６１の左側面部６１ｃに形成されており、さらに配管接続部６６の接続口が下側を向いている場合には、配管接続部６６が吸着ロータ６２よりも上方の位置に形成されていることから、配管接続部６６が吸着ロータ６２より下方に形成される構成等に比して、調湿ユニット６０を低い位置で壁に取り付けることができる。
【００７１】
（１−４−５）
また、本実施形態に係る調湿ユニット６０は、貫通孔Ｈの近傍に設置される。そのため、調湿空気（加湿空気等）を室内に導入するために、脱離吹出口８３に設けられる調湿用ホース６７を短くすることができる。これにより、調湿用ホース６７内に生じる結露等を抑制することができる。
【００７２】
なお、上記説明において「近傍」とは、貫通孔の大きさを基準に定義される。具体的には、貫通孔の１〜１０倍程度の大きさの範囲内の距離をいう。
【００７３】
（１−５）変形例
（１−５−１）変形例１Ａ
上記説明では、配管接続部６６が左側面部６１ｃに形成されるとしたが、本実施形態に係る調湿ユニット６０の構造はこのような構成に限定されるものではない。具体的には、配管接続部６６は、調湿ユニット６０の設置状況に応じて、左側面部６１ｃ以外の右側面部６１ｄ，上面部６１ｅ，及び下面部６１ｆのいずれかの面に形成することができる。例えば、配管接続部６６は、図１８に示すように、上面部６１ｅに形成されるものであってもよい。また、配管接続部６６が、右側面部６１ｄに形成されても、左側面部６１ｃに形成されたときと同様の作用効果を有する調湿ユニット６０を提供できる。
【００７４】
また、調湿ユニット６０が縦置き配置ではなく、縦置き配置を正面から見て９０度回転させた「横置き配置」となる場合は、上面部６１ｅ及び下面部６１ｆのそれぞれが、左側面又は右側面に位置することになる。このような場合は、上面部６１ｅ又は下面部６１ｆに配管接続部６６が形成されることで、上述した説明と同様の作用効果を有する調湿ユニット６０を提供できる。
【００７５】
（１−５−２）変形例１Ｂ
上記説明では、配管接続部６６と脱離吹出口８３とが、ケーシング６１の同一の面に形成されるとしたが、本実施形態に係る調湿ユニット６０はこの構成に限定されるものではない。例えば、配管接続部６６と脱離吹出口８３とが、ケーシング６１の対向する面に形成されるものでもよい。この場合、図１９に示すように、調湿ユニット６０は、配管接続部６６が左側面部６１ｃに形成され、脱離吹出口８３ｓが右側面部６１ｄに形成される。
【００７６】
このような構成によれば、ガス冷媒連絡管６ａ，６ｂと、調湿空気を排出するために脱離吹出口８３ｓに設けられる調湿用ホース６７との干渉を回避できる。これにより、設置する状況によっては、ガス冷媒連絡管６ａ，６ｂ又は調湿用ホース６７の引き回しを抑制することができる。
【００７７】
（１−５−３）変形例１Ｃ
上記説明では、空気調和装置１及び調湿ユニット６０はそれぞれ別体として構成されるものとしたが、本実施形態に係る調湿ユニット６０の構成はこれに限定されるものではない。
【００７８】
例えば、調湿ユニット６０は、空気調和装置１の室外ユニット２０に組み込まれるものであってもよい。この場合、図２０に示すように、四路切換弁２２の上流側に調湿ユニット６０の熱交換器６３が配置される。さらに、室外ユニット２０は、図２１に示すように、圧縮機２１と調湿ユニット６０の熱交換器６３との間に電動弁２９を設ける構成であってもよい。このような構成であれば、吸入加熱を付けて吐出温度を高くすることができる。また、室外ユニット２０は、図２２に示すように、調湿ユニット６０の熱交換器６３と四路切換弁２２との間に電動弁２９を設ける構成であってもよい。このような構成でも、吸入加熱を付けて吐出温度を高くすることができる。
【００７９】
＜第２実施形態＞
以下、既に説明した部分と同一の部分には略同一の符号を付し、重複した説明を省略する。なお、他の実施形態と区別するために、本実施形態では添え字Ｓを付すことがある。
【００８０】
本発明の第２実施形態に係る調湿ユニット６０Ｓは、第１実施形態に係る調湿ユニット６０とは利用態様が異なるものである。
【００８１】
（２−１）調湿ユニット
（２−１−１）調湿ユニットの構成
本実施形態に係る調湿ユニット６０Ｓは、室内ＩＤ内の空気を除湿する除湿ユニットとして機能するものである。
【００８２】
図２３は本実施形態に係る冷媒回路１０Ｓの構成を示す模式図である。本実施形態では、調湿ユニット６０Ｓが室外ＯＤではなく、室内ＩＤに設けられる。また、室内ユニット４０Ｓは設けられておらず、室外ユニット２０Ｓと調湿ユニット６０Ｓとで冷媒回路１０Ｓが構成される。
【００８３】
本実施形態に係る調湿ユニット６０Ｓの構成は、第１実施形態に係る調湿ユニット６０と同様である。ただし、調湿ユニット６０Ｓの設置場所が室内ＩＤであるため、調湿用ホース６７Ｓには、室内ＩＤから室外ＯＤに向かうものが用いられる。
【００８４】
（２−１−２）調湿ユニットの設置態様
上述したように、本実施形態に係る調湿ユニット６０Ｓは、室内ＩＤに設置される。具体的には、調湿ユニット６０Ｓは、図２４に示すように、室外ユニット２０Ｓ（別ユニット）と組になって貫通孔Ｈを有する壁Ｗを挟むように室内ＩＤに設置される。そして、調湿ユニット６０Ｓは、貫通孔Ｈに配置されるガス冷媒連絡管６ａ及び液冷媒連絡管５（連絡配管）を介して室外ユニット２０Ｓに接続する。なお、調湿ユニット６０Ｓは、貫通孔Ｈの近傍に設置されることが好ましい。
【００８５】
（２−２）特徴
本実施形態に係る調湿ユニット６０Ｓは、第１実施形態とは異なり室内ＩＤに設置される。そのため、調湿ユニット６０Ｓ、ガス冷媒連絡管６ａ，６ｂ、及び調湿用ホース６７を含む装置全体の外観の審美性が求められる。このような要求に対し、本実施形態に係る調湿ユニット６０Ｓであれば、配管接続部６６を、ケーシング６１の左側面部６１ｃ、右側面部６１ｄ、上面部６１ｅ、及び下面部６１ｆの少なくともいずれかの一面から突出して形成することで、設置する状況に応じて、調湿ユニット６０を壁Ｗに容易に設置することができる。そのため、設置環境に応じて、審美性を損なわずに調湿ユニット６０を提供できる。
【００８６】
その他、本実施形態に係る調湿ユニット６０Ｓは、第１実施形態に係る調湿ユニット６０と同様の構成を有しており、第１実施形態に係る調湿ユニット６０と同様の効果を有するものである。
【００８７】
（２−３）変形例
上記説明では、室内ユニット４０Ｓが冷媒回路１０Ｓから除かれていたが、本実施形態に係る装置全体の構成はこれに限定されるものではない。例えば、図２５に示すように、冷媒回路１０Ｓは室内ユニット４０Ｓを具備するものでもよい。
【００８８】
＜他の実施形態＞
以上、本発明の実施形態及びその変形例について図面に基づいて説明したが、具体的な構成は、これらの実施形態及びその変形例に限られるものではなく、発明の要旨を逸脱しない範囲で変更可能である。
【符号の説明】
【００８９】
１      空気調和装置
６ａ    ガス冷媒連絡管（連絡配管）
６ｂ    ガス冷媒連絡管（連絡配管）
１０    冷媒回路
１０Ｓ  冷媒回路
２０    室外ユニット
２０Ｓ  室外ユニット
４０    室内ユニット
４０Ｓ  室内ユニット
６０    調湿ユニット
６０Ｓ  調湿ユニット
６１    ケーシング
６１ａ  正面部
６１ｂ  背面部
６１ｃ  左側面部（側面部）
６１ｄ  右側面部（側面部）
６１ｅ  上面部
６１ｆ  下面部
６２    吸着ロータ（吸着部材）
６３    熱交換器
６４    吸着ファン（ファン）
６５    脱離ファン（ファン）
６６    配管接続部
６６ａ  配管
６６ｂ  配管
７２    吸着吸込口
７３    吸着吹出口
８２    脱離吸込口
８３    脱離吹出口（調湿空気の吹出口）
Ａ１    吸着エリア
Ａ２    脱離エリア
Ｈ      貫通孔
Ｗ      壁
【先行技術文献】
【特許文献】
【００９０】
【特許文献１】特開２０１４−１２９９５０号公報
【図１】
2018179365.tif 000003
【図２Ａ】
2018179365.tif 000004
【図２Ｂ】
2018179365.tif 000005
【図３】
2018179365.tif 000006
【図４】
2018179365.tif 000007
【図５】
2018179365.tif 000008
【図６】
2018179365.tif 000009
【図７】
2018179365.tif 000010
【図８】
2018179365.tif 000011
【図９】
2018179365.tif 000012
【図１０】
2018179365.tif 000013
【図１１】
2018179365.tif 000014
【図１２】
2018179365.tif 000015
【図１３】
2018179365.tif 000016
【図１４】
2018179365.tif 000017
【図１５】
2018179365.tif 000018
【図１６】
2018179365.tif 000019
【図１７】
2018179365.tif 000020
【図１８】
2018179365.tif 000021
【図１９】
2018179365.tif 000022
【図２０】
2018179365.tif 000023
【図２１】
2018179365.tif 000024
【図２２】
2018179365.tif 000025
【図２３】
2018179365.tif 000026
【図２４】
2018179365.tif 000027
【図２５】
2018179365.tif 000028